(57)【要約】【課題】誤ったユーザによる画像読み取りを防止するとともに、当該読み取られた画像情報の流出を防止する【解決手段】スキャナ装置に接続される情報処理システムであって、前記スキャナ装置の占有者を識別する画像情報を取得する画像情報取得手段と、前記占有者を識別する占有者識別情報と、前記画像情報とを関連付けた占有情報を記憶する占有情報記憶手段と、前記画像情報の媒体への印刷を指示する印刷指示手段と、を含むことを特徴とする、を含むことを特徴とする。【選択図】図２
2015126294.tif 000002
【特許請求の範囲】
【請求項１】
スキャナ装置に接続される情報処理システムであって、
前記スキャナ装置の占有者を識別する画像情報を取得する画像情報取得手段と、
前記占有者を識別する占有者識別情報と、前記画像情報とを関連付けた占有情報を記憶する占有情報記憶手段と、
前記画像情報の媒体への印刷を指示する印刷指示手段と、
を含むことを特徴とする情報処理システム。
【請求項２】
前記情報処理システムは、更に、前記画像情報に基づいて、前記占有者を識別する特徴量を抽出する特徴量抽出手段を含むことを特徴とする請求項１記載の情報処理システム。
【請求項３】
前記情報処理システムは、更に、
前記スキャナ装置の占有を指示する占有指示を取得する占有指示取得手段と、
前記占有指示に応じて、前記占有指示及び前記特徴量を前記スキャナ装置に送信する特徴量送信手段と、
を含むことを特徴とする請求項２記載の情報処理システム。
【請求項４】
スキャナ装置であって、
読み取り手段にセットされた、第１の原稿を含む複数の原稿の画像情報を取得する画像情報取得手段と、
前記第１の原稿の画像情報に基づいて前記スキャナ装置の第１の占有者を識別する、特徴量抽出手段により抽出された特徴量と、前記スキャナ装置の第２の占有者を識別する、特徴量取得手段により取得された特徴量とに基づいて、前記第１の占有者と前記第２の占有者が一致するか否かを表す判定結果を取得する判定結果取得手段と、を含み、
前記画像情報取得手段は、前記判定結果に応じて、前記第１の画像情報以外の複数の原稿の画像情報を取得することを特徴とするスキャナ装置。
【請求項５】
前記スキャナ装置は、更に、前記第１の原稿の画像情報に基づいて前記スキャナ装置の第１の占有者を識別する特徴量を抽出する特徴量抽出手段を含むことを特徴とする請求項４記載のスキャナ装置。
【請求項６】
前記スキャナ装置は、更に、
前記特徴量取得手段と、
前記特徴量抽出手段により取得された特徴量と、前記特徴量取得手段により取得された特徴量とに基づいて、前記第１の占有者と前記第２の占有者が一致するか否かを判定する判定する判定手段と、を含み、
前記判定結果取得手段は、前記判定手段の判定結果を取得することを特徴とする請求項４または５記載のスキャナ装置。
【請求項７】
前記スキャナ装置は、更に、前記第１の画像情報以外の複数の原稿の画像情報をあらかじめ設定された送信先へ送信する画像情報送信手段と、を含むことを特徴とする請求項４乃至６のいずれかに記載のスキャナ装置。
【請求項８】
前記画像情報取得手段は、スキャン開始指示を取得した際に、前記第１の原稿の画像情報を取得するとともに、前記判定結果取得手段が前記第１の占有者と前記第２の占有者が一致する判定結果を取得した際に、前記第１の画像情報以外の複数の原稿の画像情報を取得することを特徴とする請求項４乃至７のいずれかに記載のスキャナ装置。
【請求項９】
前記スキャナ装置は、更に、前記判定結果取得手段が前記第１の占有者と前記第２の占有者が一致しないことを表す判定結果を取得した際に、予め設定されたエラー処理を行うエラー処理手段を含むことを特徴とする請求項４乃至８のいずれかに記載のスキャナ装置。
【請求項１０】
スキャナ装置に接続されるコンピュータシステムに関する情報処理プログラムであって、
前記スキャナ装置の占有者を識別する画像情報を取得する画像情報取得手段、
前記占有者を識別する占有者識別情報と、前記画像情報とを関連付けた占有情報を記憶する占有情報記憶手段、及び、
前記画像情報の媒体への印刷を指示する印刷指示手段、
としてコンピュータシステムを機能させるための情報処理プログラム。
【請求項１１】
スキャナ装置に関するスキャナプログラムであって、
読み取り手段にセットされた、第１の原稿を含む複数の原稿の画像情報を取得する画像情報取得手段、
前記第１の原稿の画像情報に基づいて前記スキャナ装置の第１の占有者を識別する、特徴量抽出手段により抽出された特徴量と、前記スキャナ装置の第２の占有者を識別する、特徴量取得手段により取得された特徴量とに基づいて、前記第１の占有者と前記第２の占有者が一致するか否かを表す判定結果を取得する判定結果取得手段、としてコンピュータシステムを機能させ、
前記画像情報取得手段は、前記判定結果に応じて、前記第１の画像情報以外の複数の原稿の画像情報を取得することを特徴とするスキャナプログラム。
【発明の詳細な説明】
【技術分野】
【０００１】
発明は、情報処理システム、情報処理プログラム、スキャナ装置、スキャナプログラムに関する。
【背景技術】
【０００２】
ネットワークに接続され、複数のクライアントに共有されるスキャナ装置が知られている。この場合、例えば、下記特許文献１に開示されているように、例えば、スキャナが１のクライアントに対応するユーザの原稿を読み取っている間には、他のクライアントに対応する他のユーザの原稿を読み取ることができないという課題がある。そこで、下記特許文献１においては、上記のように１のユーザがスキャナ装置を占有している場合に、他のクライアントからアクセスされた場合には、他のユーザにスキャナ装置が使用不可能であることを示すロック機能を有するスキャナ制御装置が開示されている。
【先行技術文献】
【特許文献】
【０００３】
【特許文献１】特開２００５−１２８２９号公報
【発明の概要】
【発明が解決しようとする課題】
【０００４】
誤ったユーザによる画像読み取りを防止するとともに、当該読み取られた画像情報の流出を防止する情報処理システム、情報処理プログラム、スキャナ装置、スキャナプログラムを実現する。
【課題を解決するための手段】
【０００５】
請求項１に記載の情報処理システムは、スキャナ装置に接続される情報処理システムであって、前記スキャナ装置の占有者を識別する画像情報を取得する画像情報取得手段と、前記占有者を識別する占有者識別情報と、前記画像情報とを関連付けた占有情報を記憶する占有情報記憶手段と、前記画像情報の媒体への印刷を指示する印刷指示手段と、を含むことを特徴とする。
【０００６】
請求項２に記載の情報処理システムは、更に、前記画像情報に基づいて、前記占有者を識別する特徴量を抽出する特徴量抽出手段を含むことを特徴とする。
【０００７】
請求項３に記載の情報処理システムは、請求項２に記載の情報処理システムにおいて、更に、前記スキャナ装置の占有を指示する占有指示を取得する占有指示取得手段と、前記占有指示に応じて、前記占有指示及び前記特徴量を前記スキャナ装置に送信する特徴量送信手段と、を含むことを特徴とする。
【０００８】
請求項４に記載のスキャナ装置は、読み取り手段にセットされた、第１の原稿を含む複数の原稿の画像情報を取得する画像情報取得手段と、前記第１の原稿の画像情報に基づいて前記スキャナ装置の第１の占有者を識別する、特徴量抽出手段により抽出された特徴量と、前記スキャナ装置の第２の占有者を識別する、特徴量取得手段により取得された特徴量とに基づいて、前記第１の占有者と前記第２の占有者が一致するか否かを表す判定結果を取得する判定結果取得手段と、を含み、前記画像情報取得手段は、前記判定結果に応じて、前記第１の画像情報以外の複数の原稿の画像情報を取得することを特徴とする。
【０００９】
請求項５に記載のスキャナ装置は、請求項４に記載のスキャナ装置において、更に、前記第１の原稿の画像情報に基づいて前記スキャナ装置の第１の占有者を識別する特徴量を抽出する特徴量抽出手段を含むことを特徴とする請求項４記載のスキャナ装置。
【００１０】
請求項６に記載のスキャナ装置は、請求項４または５に記載のスキャナ装置において、更に、前記特徴量取得手段と、前記特徴量抽出手段により取得された特徴量と、前記特徴量取得手段により取得された特徴量とに基づいて、前記第１の占有者と前記第２の占有者が一致するか否かを判定する判定手段と、を含み、前記判定結果取得手段は、前記判定手段の判定結果を取得することを特徴とする。
【００１１】
請求項７に記載のスキャナ装置は、請求項４乃至６のいずれかに記載のスキャナ装置において、更に、前記第１の画像情報以外の複数の原稿の画像情報をあらかじめ設定された送信先へ送信する画像情報送信手段と、を含むことを特徴とする。
【００１２】
請求項８に記載のスキャナ装置は、請求項４乃至７のいずれかに記載のスキャナ装置において、前記画像情報取得手段は、スキャン開始指示を取得した際に、前記第１の原稿の画像情報を取得するとともに、前記判定結果取得手段が前記第１の占有者と前記第２の占有者が一致する判定結果を取得した際に、前記第１の画像情報以外の複数の原稿の画像情報を取得することを特徴とする。
【００１３】
請求項９に記載のスキャナ装置は、請求項４乃至８のいずれかに記載のスキャナ装置において、更に、前記判定結果取得手段が前記第１の占有者と前記第２の占有者が一致しないことを表す判定結果を取得した際に、予め設定されたエラー処理を行うエラー処理手段を含むことを特徴とする。
【００１４】
請求項１０に記載の情報処理プログラムは、スキャナ装置に接続されるコンピュータシステムに関する情報処理プログラムであって、前記スキャナ装置の占有者を識別する画像情報を取得する画像情報取得手段、前記占有者を識別する占有者識別情報と、前記画像情報とを関連付けた占有情報を記憶する占有情報記憶手段、及び、前記画像情報の媒体への印刷を指示する印刷指示手段、としてコンピュータシステムを機能させるための情報処理プログラムであることを特徴とする。
【００１５】
請求項１１に記載のスキャナプログラムは、スキャナ装置に関するスキャナプログラムであって、読み取り手段にセットされた、第１の原稿を含む複数の原稿の画像情報を取得する画像情報取得手段、前記第１の原稿の画像情報に基づいて前記スキャナ装置の第１の占有者を識別する、特徴量抽出手段により抽出された特徴量と、前記スキャナ装置の第２の占有者を識別する、特徴量取得手段により取得された特徴量とに基づいて、前記第１の占有者と前記第２の占有者が一致するか否かを表す判定結果を取得する判定結果取得手段、としてコンピュータシステムを機能させ、前記画像情報取得手段は、前記判定結果に応じて、前記第１の画像情報以外の複数の原稿の画像情報を取得することを特徴とする。
【発明の効果】
【００１６】
請求項１乃至３、４、７乃至１１に記載の発明によれば、誤ったユーザによる画像読み取りを防止するとともに、当該読み取られた画像情報の流出が防止される。
【００１７】
請求項５の発明によれば、特徴量の抽出をスキャナ装置外部で行う場合と比べより速やかなレスポンスが得られる。
【００１８】
請求項６の発明によれば、特徴量の照合をスキャナ装置外部で行う場合と比べより速やかなレスポンスが得られる。
【図面の簡単な説明】
【００１９】
【図１】サービス提供システムの全体構成の一例について説明するための図である。
【図２】サービス提供装置の機能的構成の一例について説明するための図である。
【図３】占有情報記憶部に占有情報が記憶された様子の一例を示す図である。
【図４】スキャナ装置の機能的構成の一例について説明するための図である。
【図５】サービス提供装置の処理のフローの一例について説明するための図である。
【図６】スキャナ装置のフローの一例について説明するための図である。
【発明を実施するための形態】
【００２０】
図１は、本発明の実施の形態におけるサービス提供システムの全体構成の概要について説明するための図である。図１に示すように、本実施の形態におけるサービス提供システム１００は、例えば、主に、スキャナ装置１１０、端末装置１２０、サービス提供装置１３０、外部サービス提供装置１４０を含む。
【００２１】
スキャナ装置１１０は、例えば、コピー機能やスキャン機能等を有する複合機であって、図１に示すように、例えば、制御部１０１、記憶部１０２、操作部１０３、表示部１０４、読み取り部１０５、プリンタ部１０６、通信部１０７を有する。なお、各部１０１乃至１０７は、内部バス１０９により互いに接続される。
【００２２】
制御部１０１は、例えば、ＭＰＵであって、記憶部１０２に格納されたプログラムに従って動作する。記憶部１０２は、例えば、ＲＯＭやＲＡＭ、ハードディスク等の情報記録媒体で構成され、制御部１０１によって実行されるプログラムを保持する情報記録媒体である。記憶部１０２は、制御部１０１のワークメモリとしても動作する。なお、当該プログラムは、例えば、ネットワークを介して、ダウンロードされて提供されてもよいし、または、ＣＤ−ＲＯＭやＤＶＤ−ＲＯＭ等のコンピュータで読み取り可能な各種の情報記録媒体によって提供されてもよい。
【００２３】
操作部１０３は、例えば、複数のボタンや後述する表示部１０４に表示されたタッチパネル等のインターフェースで構成され、ユーザの指示操作に応じて、当該指示操作の内容を制御部１０１に出力する。表示部１０４は、例えば、液晶ディスプレイ、有機ＥＬディスプレイ等であって、制御部１０１からの指示に従い、情報を表示する。
【００２４】
読み取り部１０５は、例えば、媒体の表面を撮像センサでスキャンすることにより、媒体の表面に表された文字、図形等を読み取る。なお、読み取り部１０５は、例えば、読み取り部１０５に複数枚の媒体を順次供給する供給装置を備える。
【００２５】
プリンタ部１０６は、例えば、読み取り部１０５により取得された画像や記憶部１０２に記憶された画像等を印刷する。通信部１０７は、当該スキャナ装置１１０を、ネットワーク１０８を介して、端末装置１２０、サービス提供装置１３０、外部サービス提供装置１４０等と接続する。
【００２６】
端末装置１２０は、例えば、いわゆるクライアントであって、制御部１２１、記憶部１２２、操作部１２３、表示部１２４、通信部１２５を含む。また、図示は省略するがサービス提供装置１３０、外部サービス提供装置１４０は、例えば、サーバであって、制御部１２１、記憶部１２２、通信部１２５を含む。なお、上記制御部１２１、記憶部１２２、操作部１２３、通信部１２７、表示部１２４等の構成は、上記スキャナ装置１１０の制御部１０１、記憶部１０２、操作部１０３、表示部１０４、通信部１０７等と同様であるので、説明を省略する。
【００２７】
なお、上記図１に示したサービス提供システム１００の構成は一例であって、本実施の形態はこれに限定されるものではない。例えば、サービス提供装置１３０及び外部サービス提供装置１４０は、いわゆるクラウドで実現されてもよい。また、図１においては、図面の簡略化のため、１の端末装置１２０のみを示したが、複数の端末装置１２０が接続されるように構成してもよいことはいうまでもない。
【００２８】
図２は、本実施の形態におけるサービス提供装置の機能的構成について説明するための図である。図２に示すように、サービス提供装置１３０は、例えば、主に、占有者ＩＤ取得部２０１、画像情報生成部２０２、占有情報記憶部２０３、印刷指示部２０４、占有指示取得部２０５、特徴量抽出部２０６、特徴量送信部２０７を含む。
【００２９】
占有者ＩＤ取得部２０１は、スキャナ装置１１０の占有者を識別する占有者識別情報（占有者ＩＤ）を取得する。具体的には、例えば、占有者ＩＤ取得部２０１は、端末装置１２０から、ネットワーク１０８を介して、占有者ＩＤを取得する。
【００３０】
ここで、当該占有者ＩＤは、例えば、ユーザを識別するユーザＩＤ、または、ユーザが使用する端末装置１２０のＩＰアドレスに相当する。また、当該ユーザＩＤは、例えば、当該サービス提供装置１３０等で実現されるユーザの新規ユーザ登録時に入力され、占有者ＩＤ取得部２０１は、当該入力されたユーザＩＤを取得する。なお、下記においては、説明の簡略化のため、主に、占有者ＩＤがユーザＩＤに相当する場合を例として説明する。
【００３１】
画像情報生成部２０２は、当該取得された占有者ＩＤに応じた画像情報を生成する。ここで、当該画像情報は、当該画像情報に基づいて占有者ＩＤが識別できる限り、例えば、ユーザＩＤの文字列の一部を配置した画像情報であってもよいし、いわゆるＱＲコード（登録商標）等の二次元コードや、バーコードであってもよい。また、例えば、画像情報生成部２０２は、上記新規ユーザ登録時に当該画像情報を生成する。更に、当該画像情報は、占有者ＩＤ毎にそれぞれ生成される。
【００３２】
占有情報記憶部２０３は、例えば、占有者ＩＤ及び当該占有者ＩＤに応じて生成された画像情報を関連付けて、占有情報として記憶する。具体的には、例えば、図３に示すように、占有情報記憶部２０３は、占有者ＩＤ毎にそれぞれ生成された画像情報を識別する画像識別情報（画像情報ＩＤ）を、表の形式で、関連付けて記憶する。より具体的には、例えば、図３は、新規ユーザとしてユーザＩＤ：Ｕ１及びＵ２が登録された場合に、占有者ＩＤ：Ｕ１及びＵ２についてそれぞれ生成された画像情報を識別する画像情報ＩＤ：Ｐ１及びＰ２が関連付けて記憶された様子を示す。なお、下記においては、ユーザＩＤ：Ｕ１及びＵ２で識別されるユーザをそれぞれ第１のユーザ及び第２のユーザという。
【００３３】
印刷指示部２０４は、画像情報生成部２０２により生成された画像情報を印刷するよう指示する。具体的には、例えば、印刷指示部２０４は、画像情報生成部２０２が画像情報を生成した際に、プリンタ部１０６に印刷指示を行うように構成してもよいし、後述するユーザの占有指示を行う前に、ユーザの指示に応じて、プリンタ部１０６に印刷指示を行うように構成してもよい。また、プリンタ部１０６は、スキャナ装置１１０のプリンタ部１０６であってもよいし、スキャナ装置１１０に接続されたその他の、印刷機能を有する印刷装置（図示なし）であってもよい。
【００３４】
占有指示取得部２０５は、当該ユーザがスキャナ装置１１０を占有することを表す占有指示を取得する。ここで、当該占有指示には、例えば、当該ユーザを識別する占有者ＩＤが含まれる。また、当該占有指示は、例えば、当該ユーザが使用する端末装置１２０からネットワーク１０８を介して取得される。
【００３５】
特徴量抽出部２０６は、画像情報記憶部２０３に記憶された画像情報から当該画像情報の特徴量を抽出する。具体的には、特徴量抽出部２０６は、占有指示取得部２０５により取得された占有指示に含まれる占有者ＩＤに基づいて、当該占有者識別情報に関連付けて記憶された画像情報を占有情報記憶部２０３から取得する。そして、当該画像情報から特徴量を抽出する。ここで、特徴量は、例えば、ユーザＩＤやＩＰアドレスであってもよいし、対応する占有者を識別できる限り、その他の特徴量であってもよい。なお、下記においては、特徴量がユーザＩＤである場合を例として説明する。
【００３６】
具体的には、例えば、図３に示す場合において、占有指示が占有者ＩＤ：Ｕ１を含む場合、特徴量抽出部２０６は、占有者ＩＤ：Ｕ１に関連付けて記憶されている画像情報ＩＤ：Ｐ１を取得し、当該画像情報ＩＤ：Ｐ１で識別される画像情報から、当該画像情報の特徴量Ｕ１を抽出する
【００３７】
特徴量送信部２０７は、上記占有指示とともに、特徴量抽出部２０６により抽出された特徴量をスキャナ装置１１０に送信する。例えば、上記例の場合、占有者ＩＤ：Ｕ１及び特徴量Ｕ１をスキャナ装置１１０に送信する。
【００３８】
次に、図４を用いて、本実施の形態におけるスキャナ装置１１０の機能的構成の一例について説明する。なお、下記においては、理解の容易化のため、上記例のように、サービス提供装置１３０から、占有者ＩＤ：Ｕ１を含む占有指示とともに、特徴量Ｕ１が送信された場合を例として説明する。
【００３９】
図４に示すように、スキャナ装置１１０は、例えば、主に、特徴量取得部３０１、特徴量保持部３０２、スキャン開始指示取得部３０３、画像情報取得部３０４、スキャナ側特徴量抽出部３０５、判定部３０６、エラー処理部３０７を含む。
【００４０】
特徴量取得部３０１は、特徴量送信部２０７から送信された占有指示及び特徴量を取得する。上記例の場合、例えば、特徴量取得部３０１は、占有者ＩＤ：Ｕ１及び特徴量Ｕ１を取得する。
【００４１】
特徴量保持部３０２は、特徴量取得部３０１により取得された占有者ＩＤ及び特徴量を保持する。具体的には、例えば、特徴量保持部３０２は、特徴量保持部３０２に占有者ＩＤ及び特徴量が保持されていない場合に、特徴量取得部３０１により取得された占有者ＩＤ及び特徴量を保持するように構成する。例えば、既に占有者ＩＤ：Ｕ１及び特徴量Ｕ１が特徴量保持部３０２に保持されている場合において、新たに特徴量取得部３０１が占有者ＩＤ：Ｕ２及び特徴量Ｕ２を取得した場合には、当該占有者ＩＤ：Ｕ２及び特徴量Ｕ２は保持しない。つまり、特徴量保持部３０２により保持されている占有者ＩＤで識別されるユーザがスキャナ装置１１０の現在の占有者であることを表す。つまり、上記例の場合、例えば、特徴量保持部３０２が占有者ＩＤ及び特徴量を保持したタイミングで、占有者ＩＤ：Ｕ１で識別されるユーザ（第１のユーザ）によるスキャナ装置１１０の占有が開始される。
【００４２】
スキャン開始指示取得部３０３は、スキャン開始指示を取得する。具体的には、例えば、ユーザが読み取り部１０５に複数の原稿をセットし、その後、スキャン開始指示をスキャナ装置１１０の操作部１０３に入力することにより、スキャン開始指示取得部３０３は、当該スキャン開始指示を取得する。ここで、ユーザは、例えば、当該複数の原稿には上記画像情報が印刷された原稿を、読み取り部１０５による読み取りの１ページ目になるようにセットする。つまり、上記例の場合、ユーザは、画像情報ＩＤ：Ｐ１で識別される画像情報が印刷された原稿を１ページ目に配置する。
【００４３】
読み取り部１０５は、スキャン開始指示取得部３０３によるスキャン開始指示の取得に応じて、１ページ目の原稿を読み取り、画像情報取得部３０４は、読み取り部１０５から当該１ページ目の画像情報を取得する。また、読み取り部１０５は、後述する判定部３０６の判定結果に応じて、２ページ目以降の原稿を読み取り、画像情報取得部３０４は、当該２ページ目以降の原稿の画像情報を取得する。
【００４４】
スキャナ側特徴量抽出部３０５は、画像情報取得部３０４により取得された１ページ目の画像情報から特徴量を抽出する。例えば、上記例の場合、１ページ目の原稿に印刷された画像情報から特徴量Ｕ１を抽出する。
【００４５】
判定部３０６は、上記のように複数枚の原稿をセットしスキャン開始指示を行ったユーザがスキャナ装置３０２の現在の適切な占有者であるか否かを判定する。具体的には、判定部３０６は、上記特徴量取得部３０２に保持されている特徴量（第１の特徴量）、及び、上記スキャナ側特徴量抽出部３０５で抽出された特徴量（第２の特徴量）に基づいて、第１の特徴量で識別される占有者（第１の占有者）と、第２の特徴量で識別される占有者（第２の占有者）が同一であるか否か判定する。上記例の場合、第１の特徴量がＵ１であり、第２の特徴量もＵ１となることから、第１の特徴量と第２の特徴量が同一である。よって、適切な占有者であると判定する。
【００４６】
ここで、判定部３０６が、同一であると判定した場合には、読み取り部１０５は２ページ目以降の原稿の読み取りを開始し、画像情報取得部３０４は、２ページ目以降の原稿の画像情報を取得する。そして、画像情報送信部３０７は、当該２ページ目以降の原稿の画像情報を予め設定された送信先に送信する。なお、当該送信先は、例えば、外部サービス提供装置１４０に相当する。また、画像情報の送信後、特徴量保持部３０２は保持している占有者ＩＤ及び特徴量を削除し、当該占有者ＩＤで識別される占有者のスキャナ装置１１０の占有が解除される。例えば、特徴量保持部３０２は、新たに特徴量取得部３０１が占有者ＩＤ：Ｕ２及び特徴量Ｕ２を取得した場合には、当該占有者ＩＤ：Ｕ２及び特徴量Ｕ２を保持する。言い換えれば、新たに占有者ＩＤ：Ｕ２で識別されるユーザが現在のスキャナ装置１１０を占有する。
【００４７】
一方、判定部３０６が適切な占有者でないと判定した場合には、エラー処理部３０８は予め設定されたエラー処理を行う。具体的には、例えば、特徴量Ｕ２が抽出される画像情報が印刷された原稿を含む複数の原稿についてユーザＩＤ：Ｕ２で識別されるユーザ（第２のユーザ）がスキャン開始指示を行った場合、スキャナ側特徴量抽出部３０５は、特徴量Ｕ２を抽出する。ここで、上記例の場合、特徴量取得部３０２により特徴量Ｕ１が保持されているので、判定部３０６は、第１及び第２の特徴量が同一でないと判断し、エラー処理を行う。
【００４８】
当該エラー処理は、例えば、２ページ目以降の原稿の読み取りは行わず、当該原稿をセットしたユーザ（例えば、第２のユーザ）または現在のスキャナ装置１１０の占有者（第１のユーザ）に、現在の占有者でないユーザがスキャン指示を行った旨を通知する処理を含む。より具体的には、例えば、占有者でないユーザがスキャン指示を行った旨や占有者でないユーザ名等を表示部１０４、１２４に表示するように表示してもよいし、電子メールで占有者であるユーザに送信するように構成してもよい。
【００４９】
この場合、スキャナ装置１１０の占有は維持される。つまり、特徴量保持部３０２は、保持している占有者ＩＤ及び特徴量を保持する。例えば、上記例の場合、占有者ＩＤ：Ｕ１及び特徴量Ｕ１の特徴量保持部３０２における保持が維持される。したがって、例えば、適切なユーザである第１のユーザが画像ＩＤ：Ｐ１で識別される画像情報が印刷された原稿を読み取らせた場合には、上記のように、特徴量がＵ１で一致することから、当該第１のユーザによる複数枚の原稿のスキャンが可能となる。
【００５０】
なお、上記図２及び図３に示したサービス提供装置１３０及びスキャナ装置１１０の機能的構成は、一例であって、本実施の形態はこれらに限られるものではない。例えば、図２や図３に示したサービス提供装置１３０及びスキャナ装置１１０の機能的構成の一部をクラウドで実現してもよい。例えば、上記においては、特徴量抽出部３０５や判定部３０６をスキャナ装置１１０に設ける場合について説明したが、当該特徴量３０５や判定部３０６をサービス提供装置１３０側で行うように構成してもよいし、その他ネットワーク１０８で接続された外部の装置で行うように構成してもよい。
【００５１】
次に、図５を用いて、サービス提供装置１３０の処理のフローの一例について説明する。なお、下記のサービス提供装置１３０の処理のフローは一例であって、本実施の形態はこれに限定されるものではない。
【００５２】
占有者ＩＤ取得部２０１は、スキャナ装置１１０の占有者を識別する占有者ＩＤを取得する（Ｓ１０１）。画像情報生成部２０２は、Ｓ１０１で取得した占有者ＩＤに応じた画像情報を生成する（Ｓ１０２）。占有情報記憶部２０３は、占有者ＩＤ及び当該占有者ＩＤに応じて生成された画像情報を関連付けて、占有情報として記憶する（Ｓ１０３）。印刷指示部２０４は、画像情報生成部２０２により生成された画像情報を印刷するようプリンタ部１０６に指示する（Ｓ１０４）。
【００５３】
なお、上記Ｓ１０１ないしＳ１０４までの処理は、説明の簡略化のため、実際のスキャン装置１１０の占有開始指示を行うまでの前処理の一例をユーザの数が１の場合について示すものである。したがって、例えば、ユーザの数が複数の場合には、ユーザ毎にＳ１０１乃至Ｓ１０４の処理が繰り返し行われる。また、Ｓ１０４の処理は、後述する占有開始指示を行う際など、その他のタイミングで行うように構成してもよい。
【００５４】
占有指示取得部２０５は、当該ユーザがスキャナ装置１１０を占有することを表す占有指示を取得する（Ｓ１０５）。特徴量抽出部２０６は、画像情報記憶部２０３に記憶された画像情報から当該画像情報の特徴量を抽出する（Ｓ１０６）。特徴量送信部２０７は、上記占有指示とともに、特徴量抽出部２０６により抽出された特徴量をスキャナ装置１１０に送信する（Ｓ１０７）。
【００５５】
次に、図６を用いて、スキャナ装置１１０のフローについて説明する。まず、特徴量取得部３０１は、特徴量送信部２０７から送信された占有指示及び特徴量を取得する（Ｓ２０１）。
【００５６】
特徴量保持部３０２は、占有者ＩＤ及び特徴量を保持していない場合には、Ｓ２０１で特徴量取得部３０１により取得された占有者ＩＤ及び特徴量を保持する（Ｓ２０２）。なお、既に占有者ＩＤ及び特徴量を保持している場合には、当該保持している占有者ＩＤ等の保持を維持する。
【００５７】
スキャン開始指示取得部３０３は、スキャン開始指示を取得する（Ｓ２０３）。読み取り部１０５は、スキャン開始指示取得部３０３によるスキャン開始指示の取得に応じて、１ページ目の原稿を読み取り、画像情報取得部３０４は、読み取り部１０５から１ページ目の画像情報を取得する（Ｓ２０４）。スキャナ側特徴量抽出部３０５は、Ｓ２０４で画像情報取得部３０４により取得された１ページ目の画像情報から特徴量を抽出する（Ｓ２０５）。
【００５８】
判定部３０６は、特徴量取得部３０２に保持されている特徴量とＳ２０５で抽出された特徴量が同一か否か判定する（Ｓ２０６）。Ｓ２０６で同一であると判定した場合には、読み取り部１０５は２ページ目以降の原稿の読み取りを開始し、画像情報取得部３０４は、２ページ目以降の原稿の画像情報を取得する（Ｓ２０７）。画像情報送信部３０７は、当該２ページ目以降の原稿の画像情報を予め設定された送信先に送信する（Ｓ２０８）。特徴量保持部３０２は、保持している占有者ＩＤ及び特徴量を削除する（Ｓ２０９）。そして、Ｓ２０１に戻り、新たな占有指示等が取得される。一方、Ｓ２０６で同一でないと判定した場合には、エラー処理部３０８は予め設定されたエラー処理を行う。（Ｓ２１０）。そして、Ｓ２０３に戻り、現在の占有者の占有が維持される。
【００５９】
なお、上記スキャナ装置１１０やサービス提供装置１３０の処理のフローは一例にすぎず、本実施の形態はこれに限定されるものではない。例えば、上記のように特徴量保持部３０２は、スキャン開始指示を取得したタイミングで、特徴量等を保持するように構成してもよい。言い換えれば、スキャン開始指示を入力したタイミングでスキャナ装置１１０の占有が開始されるように構成してもよい。また、上記においては、適切な占有者であると判定した場合に、一例としてスキャンした画像情報を送信する場合を例として説明したが、例えば、スキャナ装置１１０で印刷する等異なる処理に適用してもよい。
【００６０】
本発明は、上記実施の形態に限定されるものではなく、上記実施の形態で示した構成と実質的に同一の構成、同一の作用効果を奏する構成又は同一の目的を達成することができる構成で置き換えてもよい。
【００６１】
例えば、上記においては、主に、ユーザが端末装置１２０からスキャナ装置１１０へ占有指示を行う場合について説明したが、占有予約指示を行うように構成してもよい。この場合、例えば、特徴量保持部３０２が、複数の占有者ＩＤ及びの特徴量を保持するように構成し、特徴量抽出部３０５で抽出された特徴量と一致する場合にはスキャナ装置１１０が一致した特徴量に対応するユーザに占有されるとともに、その旨が当該ユーザの端末装置１２０に送信されるように構成する。また、一致しない場合には、例えば、上記エラー処理を行うように構成する。また、この場合、複数の占有者ＩＤ及び特徴量の保持は、それぞれの保持開始からあらかじめ設定された時間が経過した場合には、順次削除するように構成してもよい。
【００６２】
なお、上記においては、例えば、画像情報生成部２０２が、主に占有者ＩＤ取得部２０１による占有者を識別する占有者識別情報の取得に応じて、当該占有者を識別する画像情報を生成する場合について説明した。しかしながら、例えば、画像情報を含むＩＤカード等に基づいて、占有者を識別する画像情報や占有者識別情報を取得するように構成してもよい。
【００６３】
なお、特許請求の範囲における情報処理システムは、例えば、サービス提供装置１３０に相当する。また、特許請求の範囲に記載のスキャナ装置に含まれる特徴量抽出手段は、例えば、スキャナ側特徴量抽出部３０５に対応する。更に、特許請求の範囲に記載の判定結果取得手段は、例えば、スキャナ装置１１０において、判定部３０６をスキャナ装置１１０外部に設けた場合において、当該外部に設けられた判定部３０６の判定結果を取得する手段に相当する。更に、特許請求の範囲における画像情報取得手段は、例えば、画像情報生成手部２０２に相当してもよいし、上記ＩＤカード等に基づいて、占有者を識別する画像情報や占有者識別情報を取得する手段であってもよい。
【符号の説明】
【００６４】
１００  サービス提供システム、１１０  スキャナ装置、１２０  端末装置、１３０  サービス提供装置、１４０  外部サービス提供装置１０１  制御部、１０２  記憶部、１０３  操作部、１０４  表示部、１０５  読み取り部、１０６  プリンタ部、１０７  通信部、２０１  占有者ＩＤ取得部、２０２  画像情報生成部、２０３  占有情報記憶部、２０４  印刷指示部、２０５  占有指示取得部、２０６  特徴量抽出部、２０７  特徴量送信部、３０１  特徴量取得部、３０２  特徴量保持部、３０３  スキャン開始指示取得部、３０４  画像情報取得部、３０５  スキャナ側特徴量抽出部、３０６  判定部、３０７  エラー処理部。
【図１】
2015126294.tif 000003
【図２】
2015126294.tif 000004
【図３】
2015126294.tif 000005
【図４】
2015126294.tif 000006
【図５】
2015126294.tif 000007
【図６】
2015126294.tif 000008